(57)【要約】      （修正有）【課題】商品広告にも役立ちさらに公共や私的機関の情報も伝達出来る従来の機能に、多目的情報伝達機能が付いた買い物篭。【解決手段】買い物篭１本体に広告入れ袋４を貼り付けする事により、小売店側が広告入れ袋の散らし５を使い、来店の客に対して商品案内や臨時の特売情報を伝達し、広告袋４の散らし５で商品製造企業の広告にとどまらず、他の企業や公共私的両機関等の情報伝達機能が買い物篭１に付き、他方面の企業の広告媒体として、広告内容により小売店側に広告収入の期待も出来る買い物篭１になり、客と店企業と店企業と客との関係と公共私的両機関と客その他付加価値のついた買い物篭１の広告入れ袋で、他に情報伝達の機能が付いた多方面に貢献する多目的製品。【選択図】図２
0003108830.tif 000002
【実用新案登録請求の範囲】
【請求項１】
本考案は従来から有る買い物篭本体内側５面個所と外側側面４箇所に、透明の合成樹脂等素材で出来ていて、裏面に接着剤が付いている袋状の広告入れを小売店の好みにより、内外面１箇所から９箇所迄機能は同じで各種大きさの違う製品を貼り付けて使用し、新たな広告の場所を確保したものであり、袋の中に入れる広告内容の変更次第で広範囲の用途が考えられる製品で、買い物篭本来の機能の他に付加価値が生まれるし、新たな広告媒体として従来の買い物篭の概念を変化させてしまい、外部企業や公共や私的機関等からの依頼の広告内容により、篭の所有者である小売店側に広告収入も期待出来て、来店の客が買い物中手に持ち続ける当に手短な情報伝達機能が付加された、買い物篭内外面貼り付け広告入れ袋。
【考案の詳細な説明】
【技術分野】
【０００１】  本考案は買い物篭の内側５面外側側面４箇所合計９箇所に、小売店が買い物篭の好みの個所面に透明な合成樹脂等素材で出来た袋状の広告入れ袋を、貼り付けて使用する広告入れ袋製品に関するものである。
【背景技術】
【０００２】  小売店側の通常の商品案内は良いが、臨時に売りだし等企画した時に客に伝達する広告媒体が少ない。
【考案の開示】
【考案が解決しようとする課題】
【０００３】  客が小売店で買い物をする時に、新聞折込散らし等を見て買い物をする機会が多いが、客が散らしを見ずに店内に入るときに、店側の商品案内が少なく解かりずらい、また店側が臨時に売り出しを企画しても客に伝える手段が少ない為に、買い物篭に透明の広告入れ袋を貼り付けておけば、袋に広告を入れ替えるだけで店の商品案内が客に直接伝わる。
【課題を解決するための手段】
【０００４】  本考案は従来の買い物篭に、透明の合成樹脂等素材で出来ている袋状の広告入れを貼り付けて、店側の商品案内や値段の表示等客が知りたい情報を伝達する手段に便利で、袋の貼り付け位置や個所数など、袋の機能が同じで大きさも大小各種あるので、店の好みで選べ便利で、透明な袋に広告が入っている為に客も散らしを手に取らずに篭を見れば情報が入手できるし、袋から取り出して見ても良く散らしの交換で臨時の売りだしにも即応出来る。
【考案の効果】
【０００５】  上述の様に、本考案の買い物篭内外面貼り付け広告入れ袋は、店側から客えの情報の伝達に役立ち、臨時の売りだしにも袋の中散らしの交換で即応でき、広告袋に企業の商品宣伝散らしを使えば、買い物篭が新たな広告媒体として可能であり、企業の商品宣伝に袋を使えば店に広告収入があり、且つ店で扱う商品の売上効果も期待出来て収益向上に役立ち、買い物篭が本来の機能に広告宣伝効果と情報伝達機能が加わり、広告袋を貼り付けた事だけで後は、袋に入れる内容次第で即変化し公共や私的機関の情報伝達の機能も持つ。
【考案を実施するための最良の形態】
【０００６】  買い物篭に貼り付ける広告入れは、透明で耐久性のある合成樹脂等素材を使用して袋の裏面のシールを剥すと接着剤が付いてあり、篭に密着して剥れない様にし且つ接着剤付き羽ねを付けて篭に絡ませる様にして接着強度を増し、素材の特性を活かしで水濡れにも対応し丈夫な製品として中身の広告用紙を保護する。
【実施例】
【０００７】  以下、添付図面にしたがって一実施例を説明する。４は透明で耐久性のある合成樹脂等素材を使用した広告入れ袋本体で、買い物篭本体１の内外両側面３ａ、３ｂ、３ｃ、３ｄ、と篭１の内底面３ｅ合計９箇所の、目的の面に羽ね付き広告袋本体４裏面の、シール４ｅを剥がし接着の付いた裏面４ｄを、買い物篭１の内外側面内底面３の場所に、羽ね状部分４ａも活用して篭側面の空間２に絡めて、強力に接着する事が出来る。【０００８】  買い物篭本体１に広告入れ袋４が貼り付けされた事により、買い物篭１本来の目的の他に広告媒体の機能が付加され、袋４散らし５の中身の内容により従来の買い物篭１が客と小売店の関係から、企業の商品宣伝用の散らし５を袋４に入れる事により、小売店と企業との新たな関係が出来上がるし、買い物篭１が小売店の商品案内や値段の情報伝達だけでわなく、企業にとって当に手短の広告の場所になり、買い物篭１に付いた広告袋４が画期的な事であり、常に購買人である客が広告付きの手提げ篭１を手に持ち、商品宣伝と販売が直結する可能性を秘めた広告掲示の場所として有効であり、企業から小売店側に広告料が入る期待も有り、広告袋４の散らし５の内容次第で商品製造企業だけでわなく、あらゆる企業や公共や私的機関の情報伝達に利用できる、本考案買い物篭内外面貼り付け広告入れ袋４である。
【図面の簡単な説明】
【０００９】
【図１】買い物篭に本考案の広告入れ袋を貼り付ける位置を表示した篭正面斜視図。
【図２】取っ手を持ち上げた状態の篭を真上から見下ろして袋の位置を示した図面。
【図３】本考案の買い物篭に貼り付ける広告入れ袋の表側の図面。
【図４】本考案の買い物篭に貼り付ける広告入れ袋の裏側の図面。
【符号の説明】
【００１０】  １    買い物篭本体
２    買い物篭側面の空間部分
３    買い物篭に広告入れ袋を貼り付ける位置を示した個所
３ａ  買い物篭に広告入れ袋を貼り付ける位置を示した内外両側面の個所
３ｂ  買い物篭に広告入れ袋を貼り付ける位置を示した内外両側面の個所
３ｃ  買い物篭に広告入れ袋を貼り付ける位置を示した内外両側面の個所
３ｅ  買い物篭に広告入れ袋を貼り付ける位置を示した内底面の個所
４    広告入れ袋本体
４ａ  広告入れ袋を貼り付ける為に篭の空間等に巻き付ける羽ねの部分
４ｂ  広告入れ袋の散らしを入れる部分
４ｃ  広告入れを袋状にする為に必用な接着個所
４ｄ  広告入れ袋裏面の接着剤が塗布された部分
４ｅ  広告入れ袋裏面の接着剤が塗布された部分をカバーするシール
５    散らし本体
【図１】
0003108830.tif 000003
【図２】
0003108830.tif 000004
【図３】
0003108830.tif 000005
【図４】
0003108830.tif 000006
【手続補正書】
【提出日】平成16年11月22日(2004.11.22)
【手続補正１】
【補正対象書類名】明細書
【補正対象項目名】０００６
【補正方法】変更
【補正の内容】
【０００６】  買い物篭に貼り付ける広告入れは、透明で耐久性のある合成樹脂等素材を使用して袋の裏面のシールを剥がすと接着剤が付いてあり、篭に密着して剥れない様にし且つ接着剤付き羽ねを付けて篭に絡ませる様にして接着強度を増し、素材の特性をい活かして水濡れにも対応し丈夫な製品として中身の広告用紙を保護する。
【手続補正２】
【補正対象書類名】明細書
【補正対象項目名】０００７
【補正方法】変更
【補正の内容】
【０００７】  以下、添付図にしたがって一実施例を説明する。４は透明で耐久性のある合成樹脂等素材を使用した広告入れ袋本体で、買い物篭本体１の内外両側面３ａ、３ｂ、３ｃ、３ｄ、と篭１の内底面３ｅ合計９箇所の、目的面に羽ね付き広告袋本体４裏面の、シール４ｅを剥がし接着剤の付いた裏面４ｄを、買い物篭１の内外側面内底面３の場所に、羽ね状部分４ａも活用して篭側面の空間２を利用し側面に絡めて、強力に接着する事が出来る。
【手続補正３】
【補正対象書類名】図面
【補正対象項目名】図１
【補正方法】変更
【補正の内容】
【図１】
0003108830.tif 000007